(57)【特許請求の範囲】
【請求項１】
着信またはキー入力に基づいて、表示部の表示照明とキーパッドのキーパッド照明とのバックライトの点灯及び消灯を行う携帯電話機であって、
携帯電話機の使用状態に応じて前記表示照明とキーパッド照明の照明パターンを使用者がキー操作により予め記憶しておき、
前記キー入力を検出すると、前記携帯電話機の使用状態を検出し、当該検出した携帯電話機の使用状態が電子メール閲覧中のキー入力の場合には、前記照明パターンに基づいて前記表示部の表示照明のみを点灯する制御を行うことを特徴とする携帯電話機。
【発明の詳細な説明】
【技術分野】
【０００１】
本発明は、携帯電話機における照明方法に係り、特に照明範囲を複数に分割するバックライトの制御構成を備えた携帯電話機に関するものである。
【背景技術】
【０００２】
近年の携帯電話機におけるバックライトは、音声通信を前提に制御されている。例えば、発信のためのキー入力完了からしばらくすると、キーパッド照明と表示照明は同時に消灯するようになっている。従来例として、特開平９−２７８４４号公報に開示された表示機能付き携帯電話機は、周囲の明るさやキー入力操作や音声入力等を検出し、これらの状態に従ってタイマーにより一定時間バックライトの点灯制御を行うようにしている。
【発明の開示】
【発明が解決しようとする課題】
【０００３】
しかしながら、電子メールやＷＷＷ（Ｗｏｒｌｄ Ｗｉｄｅ Ｗｅｂ）等の表示部に表示されるデータは、キー入力から表示されるまでに遅延がある上、使用者が内容を読む必要がある。そのため、従来の携帯電話機におけるバックライト制御方法では、内容を読み終えないうちに照明が消えてしまうという問題点がある。この問題点は、キー入力完了から消灯までの時間を長くすることで解決することができるが、携帯電話機は充電式電池等の２次電池で駆動されていることが多く、照明時間を長くすることで携帯電話機の使用時間が短くなるという問題点がある。
【０００４】
本発明は上述した課題に鑑みてなされたものであり、電池寿命の向上と表示データの閲覧性の向上が両立できる携帯電話機を提供することを目的とする。
【課題を解決するための手段】
【０００５】
上述した課題を解決するため、本発明に係る携帯電話機は、着信またはキー入力に基づいてバックライトの点灯及び消灯を行う携帯電話機において、前記バックライトを複数に分割して制御するようにしたことを特徴とするものであり、例えば、着信またはキー入力に基づいてバックライトの点灯及び消灯を行う携帯電話機において、複数のバックライトと、前記複数のバックライトを制御する制御部と、前記制御部に必要な制御データを格納する記憶部とを備えて構成することができる。
【０００６】
このような構成によれば、必要最小限のバックライトのみ使用することができ、従来に比して電池の寿命を向上させることができる。
【０００７】
また、本発明に係る携帯電話機において、前記複数に分割されたバックライトは表示照明とキーパッド照明により構成され、前記表示照明と前記キーパッド照明を独立に制御することを特徴とするものである。
【０００８】
このような構成によれば、表示照明とキーパッド照明とを必要に応じて使い分けることができ、電池寿命の向上と表示データの閲覧性の向上が両立できる。
【０００９】
また、本発明に係る携帯電話機は、着信またはキー入力に基づいてバックライトの点灯及び消灯を行う携帯電話機において、前記携帯電話機の使用状態に基づいて前記バックライトの点灯時間の制御を行うことを特徴とする。なお、この制御においては、例えば、制御に必要な制御データと点灯時間を格納する記憶部を備えるようにすることができる。
【００１０】
このような構成によれば、必要最小限において、バックライトを点灯させることができ、電池の寿命の低下を防止できると共に、表示内容を十分に読みとれないうちにバックライトが消灯されることもない。
【００１１】
また、本発明に係る携帯電話機は、前記携帯電話機の使用状態を検出し、該使用状態に基づいて前記複数に分割されたバックライトを独立に制御すると共に、前記複数のバックライトの点灯時間を独立に制御することを特徴とするものである。
【００１２】
このような構成によれば、必要なバックライトのみを必要な時間にわたってのみ点灯させることができ、従って、電池寿命の向上と表示データの閲覧性の向上が両立できる。
【発明の効果】
【００１３】
以上に詳述したように本発明によれば、バックライトを複数に分割してそれぞれ独立に制御を行うことができ、照明が必要な部分には点灯時間を長く割り当て、また必要無い部分には点灯時間を短く割り当てるもしくは点灯しないとすることにより、電池寿命の向上と表示データの閲覧性の向上が両立できる。
【発明を実施するための最良の形態】
【００１４】
以下、本発明の実施の形態について図面を参照して詳細に説明する。図１は、本実施の形態に係る携帯電話機の受信動作の一例を示すブロック図である。着信検出部２００は、信号を受信して自己の携帯電話機への着信信号を検出し、制御部２０３へ出力する。キーパッド２０６は、使用者のキー入力を制御部２０３へ出力する。記憶部２０８は、予め格納されている制御のためのデータや表示するデータを制御部２０３へ出力する。
【００１５】
制御部２０３は、着信検出部２００の出力とキーパッド２０６の出力と記憶部２０８の出力に基づいて、ダイヤル信号発生部２０２や記憶部２０８を制御すると共に、表示部２０４と表示照明２０５とキーパッド照明２０７の制御を行う。表示部２０４は、制御部２０３からの制御に基づき様々な情報を表示する。表示照明２０５とキーパッド照明２０７は、制御部２０３からの制御に基づき点灯と消灯を行う。
【００１６】
ダイヤル信号発生部２０２は、制御部２０３からの制御に基づきダイヤル信号を発生させる。電話回路部２０１は、ダイヤル信号発生部２０２からのダイヤル信号を音声信号に変換する。スピーカ２０９は電話回路部２０１からの音声信号を音声として出力する。マイク２１０で受信された音声信号は、電話回路部２０１へ出力される。
【００１７】
次に、バックライトの動作の一例について説明する。着信検出部２００が着信を検出する、または制御部２０３がキーパッド２０６からのキー入力を検出すると、制御部２０３は該当する表示を表示部２０４に出力すると共に、記憶部２０８にある照明パターンに従い表示照明２０５とキーパッド照明２０７とを同時に点灯する。また、電子メール閲覧中のキー入力の場合は、表示照明２０５のみを点灯する。これらの動作は、記憶部２０８で携帯電話機の使用状態に合わせて予め照明パターンとして定義されている。
【００１８】
照明が点灯してから、記憶部２０８の照明パターンで定義されている点灯時間が経過すると、制御部２０３は、表示照明２０５とキーパッド照明２０７を消灯する。この場合、記憶部２０８で予め定義されている点灯時間は、等しい場合と異なる場合がある。例えば、電子メール閲覧中はキーパッド照明２０７を早く消灯し、また、表示照明２０５を遅く消灯することで、電子メールの閲覧性を向上させることが可能となる。また、表示照明２０５とキーパッド照明２０７を同時に消灯する場合と比較し、閲覧性を損なわずに電池寿命を延ばすことが可能となる。
【００１９】
図２は、記憶部２０８で予め記憶されている照明パターンの一例を示した図である。様々な状態とその状態に対応するバックライトの点灯時間は、予め定義されているものである。例えば、待ち受け時にキー入力を行う場合、表示照明とキーパッド照明は共に１０秒間点灯した後消灯する。同様に、音声発信／着信とＷＷＷ閲覧中キー入力と電子メールキー入力を行う場合においても、表示照明とキーパッド照明の点灯時間は表に示された時間だけ点灯した後消灯する。もちろん、これらの点灯する状態と表示照明とキーパッド照明の点灯時間は、予め定義されているものだけでなく、後から使用者がキー操作により追加や変更を行うことも可能である。
【００２０】
次に、制御部２０３におけるバックライト制御動作について説明する。図３は、バックライト制御動作を示すフローチャートである。まず、バックライトを点灯させるイベントが発生すると記憶部１０８に予め記憶されている照明パターンを読み出し（１００）、キーパッド照明を点灯するか否かの判断を行う（１０１）。キーパッド照明の点灯が必要な場合（１０１，Ｙ）は、キーパッド照明を点灯し（１０２）、処理１０３へ移行する。キーパッド照明の点灯が必要でない場合（１０１，Ｎ）は、処理１０３へ移行する。続いて、表示照明を点灯するか否かの判断を行う（１０３）。表示照明の点灯が必要な場合（１０３，Ｙ）は、表示照明を点灯し（１０４）、処理１０５へ移行する。表示照明の点灯が必要でない場合（１０３，Ｎ）は、処理１０５へ移行する。これらの処理の後、照明を消灯するための照明用タイマーを開始する（１０５）。
【００２１】
次に、キーパッド照明が点灯中であるか否かの判断を行う（１０６）。キーパッド照明が点灯中である場合（１０６，Ｙ）は、照明用タイマーを参照し、照明パターンに予め定義されているキーパッド照明の点灯時間が経過しているか否かの判断を行い（１０７）、キーパッド照明の点灯時間が経過している場合（１０７，Ｙ）は、キーパッド照明を消灯し（１０８）、処理１０９へ移行する。キーパッド照明が点灯中でない場合（１０６，Ｎ）とキーパッド照明の点灯時間が経過していない場合（１０７，Ｎ）は、共に処理１０９へ移行する。
【００２２】
次に、表示照明が点灯中であるか否かの判断を行う（１０９）。点灯中である場合（１０９，Ｙ）は、照明用タイマーを参照し、照明パターンに予め定義されている表示照明の点灯時間が経過しているか否かの判断を行い（１１０）、表示照明の点灯時間が経過している場合（１１０，Ｙ）は、表示照明を消灯し（１１１）、処理１１２へ移行する。表示照明が点灯中でない場合（１０９，Ｎ）と表示照明の点灯時間が経過していない場合（１１０，Ｎ）は、共に処理１１２へ移行する。
【００２３】
次に、照明が全て消灯しているか否かの判断を行う（１１２）。いずれかの照明が点灯している場合（１１２，Ｎ）は、処理１０６へ戻り引き続き照明の消灯処理を行う。全ての照明が消灯している場合（１１２，Ｙ）は、照明用タイマーを停止し（１１３）、照明の処理を終了する。ここでは、照明部分がキーパッド照明２０７と表示照明２０５の２箇所に分かれている場合について説明したが、３箇所以上に分かれている場合でも同様の処理で行うことができるのは明白である。
【図面の簡単な説明】
【００２４】
【図１】本実施の形態に係る携帯電話機の構成の一例を示すブロック図である。
【図２】記憶部に予め定義されている照明パターンの一例を示した図である。
【図３】制御部のバックライト制御動作を示すフローチャートである。
【符号の説明】
【００２５】
２００ 着信検出部、２０１ 電話回路部、２０２ ダイヤル信号発生部、２０３ 制御部、２０４ 表示部、２０５ 表示照明、２０６ キーパッド、２０７ キーパッド照明、２０８ 記憶部、２０９ スピーカ、２１０ マイク。
【図１】
0004505030.tif 000002
【図２】
0004505030.tif 000003
【図３】
0004505030.tif 000004